【事件の表示】
　特願２０１４−１７２５２３「ポリカーボネート共重合体」拒絶査定不服審判事件〔平成２７年　１月１５日出願公開、特開２０１５−　　７２４６〕について、次のとおり審決する。
【結　論】
　本件審判の請求は、成り立たない。
【理　由】
第１　主な手続の経緯
　本願は、平成２６年２月７日にされた特許出願（特願２０１４−２２４２８号）の一部を新たに特許出願したものであって、同年９月３０日付けで拒絶理由が通知され、同年１２月１日に意見書が提出されるとともに特許請求の範囲が補正され、平成２７年２月２７日付けで拒絶査定がされたところ、これに対して、同年６月９日に拒絶査定不服審判が請求され、その審判の請求と同時に特許請求の範囲が補正され、同年８月２７日付けで前置報告がされたところ、平成２８年１０月２７日付けの補正却下の決定により、平成２７年６月９日付けの手続補正書が却下されるとともに、同日付けで拒絶理由（以下、「拒絶理由」という。）及び指令書が通知され、同年１２月７日に意見書が提出されるとともに特許請求の範囲が補正されたものである。
第２　本願発明
　本願の請求項１〜１０に係る発明は、平成２８年１２月７日に提出された手続補正書により補正された特許請求の範囲の請求項１〜１０に記載された事項により特定されるものであるところ、その請求項１を引用する請求項１０に係る発明（以下、「本願発明１０」という。）を他の請求項を引用せずに記載すると、以下のとおりのものである。
「５０〜２モル％の下記式（Ｉ）で表される構成単位及び５０〜９８モル％で表される下記式（ＩＩ）で表される構成単位を含有し、比粘度０．１２〜０．４０であり、フェノール含有量が１〜３００ｐｐｍであリ、下記式（ＩＩＩ）で表されるジオール成分の含有量が５〜５００ｐｐｍであるポリカーボネート共重合体樹脂組成物からなる中心部の厚みが０．０５〜２．０ｍｍ、レンズの直径が１．０〜１０．０ｍｍである光学レンズ。
　　【化１】
（式中のＲ１〜Ｒ８は、それぞれ水素原子、フッ素原子、塩素原子、臭素原子、ヨウ素原子、炭素数１〜６のアルキル基、炭素数６〜１２のアリール基、炭素数２〜６のアルケニル基、炭素数１〜６のアルコキシ基又は炭素数７〜１７のアラルキル基を示す。Ｘは炭素数２〜８のアルキレン基、炭素数５〜１２のシクロアルキレン基または炭素数６〜２０のアリーレン基である。ｎは１〜１０の整数である。）
　　【化２】
（式中、Ｒ９、Ｒ１０は、それぞれ独立に水素原子、炭素数１〜２０のアルキル基、炭素数１〜２０のアルコキシル基、炭素数５〜２０のシクロアルキル基、炭素数５〜２０のシクロアルコキシル基、炭素数６〜２０のアリール基または炭素数６〜２０のアリールオキシ基である。Ｙは炭素数２〜８のアルキレン基、炭素数５〜１２のシクロアルキレン基または炭素数６〜２０のアリーレン基である。ｍは１〜１０の整数である。）
　　【化３】
（式中、Ｒ１１、Ｒ１２は、それぞれ独立に水素原子、炭素数１〜２０のアルキル基、炭素数１〜２０のアルコキシル基、炭素数５〜２０のシクロアルキル基、炭素数５〜２０のシクロアルコキシル基、炭素数６〜２０のアリール基または炭素数６〜２０のアリールオキシ基である。Ｚは炭素数２〜８のアルキレン基、炭素数５〜１２のシクロアルキレン基または炭素数６〜２０のアリーレン基である。ｏは１〜１０の整数である。）」
第３　拒絶理由の概要
　拒絶理由は、以下のものを含むものである。
　この出願の請求項１〜９のそれぞれに従属する請求項１０に係る発明は、特願２０１５−１１６５２８号の請求項１〜９のそれぞれに従属する請求項１０に係る発明と同一であると認められるから、特許法第３９条第２項の規定により特許を受けることができない。
第４　当合議体の判断
１　本願
　本願は、平成２６年２月７日にされた特許出願（特願２０１４−２２４２８号）の一部を新たに適法に特許出願したものであるから、特許法第４４条第２項の規定により、本願の出願日は平成２６年２月７日とみなされる。
２　先願
　拒絶理由で引用した先願（特願２０１５−１１６５２８号）は、本願と同様に、平成２６年２月７日にされた特許出願（特願２０１４−２２４２８号）の一部を新たに適法に特許出願したものであるから、先願の出願日は平成２６年２月７日とみなされる。
　よって、先願は、本願と同一の出願人により、本願と同一の出願日に出願されたものである。
３　先願発明
　先願の請求項１〜１２に係る発明は、平成２８年１１月１１日に提出された手続補正書により補正された特許請求の範囲の請求項１〜１２に記載された事項により特定されるとおりのものであるところ、その請求項１を引用する請求項１１を引用する請求項１２に係る発明（以下、「先願発明１２」という。）は、請求項１及び１１を引用せずに記載すると、以下のとおりのものである。
「５０〜２モル％の下記式（Ｉ）で表される構成単位及び５０〜９８モル％で表される下記式（ＩＩ）で表される構成単位を含有し、比粘度０．１２〜０．４０であり、下記式（ＩＩＩ）で表されるジオール成分の含有量が５〜１００ｐｐｍであり、且つフェノール含有量が１〜６０ｐｐｍであるポリカーボネート共重合体樹脂組成物からなり、中心部の厚みが０．０５〜３．０ｍｍ、レンズ部の直径が１．０〜２０．０ｍｍである光学レンズ。
　　【化１】
（式中のＲ１〜Ｒ８は、それぞれ水素原子、フッ素原子、塩素原子、臭素原子、ヨウ素原子、炭素数１〜６のアルキル基、炭素数６〜１２のアリール基、炭素数２〜６のアルケニル基、炭素数１〜６のアルコキシ基又は炭素数７〜１７のアラルキル基を示す。Ｘは炭素数２〜８のアルキレン基、炭素数５〜１２のシクロアルキレン基または炭素数６〜２０のアリーレン基である。ｎは１〜１０の整数である。）
　　【化２】
（式中、Ｒ９、Ｒ１０は、それぞれ独立に水素原子、炭素数１〜２０のアルキル基、炭素数１〜２０のアルコキシル基、炭素数５〜２０のシクロアルキル基、炭素数５〜２０のシクロアルコキシル基、炭素数６〜２０のアリール基または炭素数６〜２０のアリールオキシ基である。Ｙは炭素数２〜８のアルキレン基、炭素数５〜１２のシクロアルキレン基または炭素数６〜２０のアリーレン基である。ｍは０〜１０の整数である。）
　　【化３】
（式中、Ｒ１１、Ｒ１２は、それぞれ独立に水素原子、炭素数１〜２０のアルキル基、炭素数１〜２０のアルコキシル基、炭素数５〜２０のシクロアルキル基、炭素数５〜２０のシクロアルコキシル基、炭素数６〜２０のアリール基または炭素数６〜２０のアリールオキシ基である。Ｚは炭素数２〜８のアルキレン基、炭素数５〜１２のシクロアルキレン基または炭素数６〜２０のアリーレン基である。ｏは０〜１０の整数である。）」
４　対比・判断
（１）本願発明１０の式（Ｉ）は、先願発明１２の式（Ｉ）と一致している。
（２）本願発明１０の式（ＩＩ）は、先願発明１２の式（ＩＩ）と、ｍが１〜１０の場合において一致している。
（３）本願発明１０の式（ＩＩＩ）は、先願発明１２の式（ＩＩＩ）と、ｏが１〜１０の場合において一致している。
（４）式（Ｉ）及び式（ＩＩ）で表されるそれぞれの構成単位のモル％、及び、比粘度について、本願発明１０と先願発明１２は一致している。
（５）フェノール含有量について、本願発明１０では１〜３００ｐｐｍであり、先願発明１２では１〜６０ｐｐｍであるから、両者は１〜６０ｐｐｍの範囲で重複している。
（６）式（ＩＩＩ）で表されるジオール成分の含有量について、本願発明１０では５〜５００ｐｐｍであり、先願発明１２では５〜１００ｐｐｍであるから、両者は５〜１００ｐｐｍの範囲で重複している。
（７）光学レンズの中心部の厚みについて、本願発明１０では０．０５〜２．０ｍｍであり、先願発明１２では０．０５〜３．０ｍｍであるから、両者は０．０５〜２．０ｍｍの範囲で重複している。
（８）光学レンズの直径について、本願発明１０では１．０〜１０．０ｍｍであり、先願発明１２では１．０〜２０．０ｍｍであるから、両者は１．０〜１０．０ｍｍの範囲で重複している。
（９）以上を総合すると、本願発明１０と先願発明１２は、
「５０〜２モル％の下記式（Ｉ）で表される構成単位及び５０〜９８モル％で表される下記式（ＩＩ）で表される構成単位を含有し、比粘度０．１２〜０．４０であり、フェノール含有量が１〜６０ｐｐｍであリ、下記式（ＩＩＩ）で表されるジオール成分の含有量が５〜１００ｐｐｍであるポリカーボネート共重合体樹脂組成物からなる中心部の厚みが０．０５〜２．０ｍｍ、レンズの直径が１．０〜１０．０ｍｍである光学レンズ。
　　【化１】
（式中のＲ１〜Ｒ８は、それぞれ水素原子、フッ素原子、塩素原子、臭素原子、ヨウ素原子、炭素数１〜６のアルキル基、炭素数６〜１２のアリール基、炭素数２〜６のアルケニル基、炭素数１〜６のアルコキシ基又は炭素数７〜１７のアラルキル基を示す。Ｘは炭素数２〜８のアルキレン基、炭素数５〜１２のシクロアルキレン基または炭素数６〜２０のアリーレン基である。ｎは１〜１０の整数である。）
　　【化２】
（式中、Ｒ９、Ｒ１０は、それぞれ独立に水素原子、炭素数１〜２０のアルキル基、炭素数１〜２０のアルコキシル基、炭素数５〜２０のシクロアルキル基、炭素数５〜２０のシクロアルコキシル基、炭素数６〜２０のアリール基または炭素数６〜２０のアリールオキシ基である。Ｙは炭素数２〜８のアルキレン基、炭素数５〜１２のシクロアルキレン基または炭素数６〜２０のアリーレン基である。ｍは１〜１０の整数である。）
　　【化３】
（式中、Ｒ１１、Ｒ１２は、それぞれ独立に水素原子、炭素数１〜２０のアルキル基、炭素数１〜２０のアルコキシル基、炭素数５〜２０のシクロアルキル基、炭素数５〜２０のシクロアルコキシル基、炭素数６〜２０のアリール基または炭素数６〜２０のアリールオキシ基である。Ｚは炭素数２〜８のアルキレン基、炭素数５〜１２のシクロアルキレン基または炭素数６〜２０のアリーレン基である。ｏは１〜１０の整数である。）」
の点で一致しており、同一である。
５　まとめ
　上記のとおり、本願発明１０は先願発明１２と同一であるし、また、平成２８年１０月２７日付けの特許法第３９条第６項による指令書を通知しているが、これに対する協議結果の届出もなされていない。
　したがって、本願発明１０は先願発明１２と同一であり、かつ、特許法第３９条第７項の規定により、本願については協議が成立しなかったものとみなされるから、本願発明１０は、特許法第３９条第２項の規定により特許を受けることができない。
第５　むすび
　以上のとおり、本願の請求項１０に係る発明は、特許法第３９条第２項の規定により特許を受けることができない。
　したがって、その他の請求項について更に検討するまでもなく、本願は拒絶されるべきものである。
　よって、結論のとおり審決する。